(57)【要約】【課題】  不必要にアンテナが断線してしまう可能性を低減しながらも不正に再利用されることを防止する。【解決手段】  ベース基材１４の一方の面にアンテナ１２を形成するとともに、アンテナ１２を介して非接触状態にて情報の書き込み及び読み出しが可能なＩＣチップ１１を、接点１３を介してアンテナ１２と接続されるようにベース基材１４に搭載し、さらに、ベース基材１４のアンテナ１２が形成された面に粘着剤２０を縞状に塗布する。【選択図】図１
2007004046.tif 000002
【特許請求の範囲】
【請求項１】
ベース基材の一方の面に導電性パターンが形成されるとともに、前記導電性パターンを介して非接触状態にて情報の書き込み及び読み出しが可能なＩＣチップが、前記ベース基材の前記導電性パターンを介して非接触状態にて情報の書き込み及び読み出しが可能となる位置に搭載され、前記ベース基材の一方の面に粘着層が積層されてなる非接触型ＩＣラベルにおいて、
前記粘着層は、前記導電性パターンのうち一部と対向するように前記ベース基材に付与された第１の粘着剤から構成されていることを特徴とする非接触型ＩＣラベル。
【請求項２】
請求項１に記載の非接触型ＩＣラベルにおいて、
前記粘着層は、
前記第１の粘着剤と、
前記第１の粘着剤の粘着力とは異なる粘着力を具備し、前記ベース基材の前記第１の粘着剤が付与されていない領域に付与された第２の粘着剤とから構成されていることを特徴とする非接触型ＩＣラベル。
【請求項３】
請求項２に記載の非接触型ＩＣラベルにおいて、
前記第２の粘着剤は、粘着力が互いに異なる複数の粘着剤からなり、該複数の粘着剤は互いに異なる領域に付与されていることを特徴とする非接触型ＩＣラベル。
【発明の詳細な説明】
【技術分野】
【０００１】
本発明は、非接触状態にて情報の書き込み及び読み出しが可能な非接触型ＩＣラベルに関する。
【背景技術】
【０００２】
近年、情報化社会の進展に伴って、情報をカードに記録し、該カードを用いた情報管理や決済等が行われている。また、商品等に貼着されるラベルに情報を記録し、このラベルを用いての商品等の管理も行われている。
【０００３】
このようなカードやラベルを用いた情報管理においては、カードやラベルに対して非接触状態にて情報の書き込み及び読み出しを行うことが可能なＩＣチップが搭載された非接触型ＩＣカードや非接触型ＩＣラベルがその優れた利便性から急速に普及しつつある。
【０００４】
図７は、一般的な非接触型ＩＣラベルの一構成例を示す図であり、（ａ）は内部構造を示す図、（ｂ）は（ａ）に示したＡ−Ａ’断面図である。
【０００５】
本構成例は図７に示すように、紙等からなるベース基材４１４の一方の面上に、コイル状の導電性材料からなるアンテナ４１２及び導電性材料からなる接点４１３が形成されるとともに、アンテナ４１２を介して外部からの情報の書き込み及び読み出しが非接触状態にて可能なＩＣチップ４１１が搭載され、さらに、ベース基材４１４のアンテナ４１２が形成された面の全面に粘着剤４２０が付与され、この粘着剤４２０によって剥離紙４４０が剥離可能に貼着されて構成されている。なお、接点４１３はコイル状のアンテナ４１２の両端に形成され、この接点４１３にＩＣチップ４１１が接続されるように導電性接着剤（不図示）によってＩＣチップ４１１がベース基材４１４上に接着されることにより、アンテナ４１２、接点４１３及びＩＣチップ４１１からなる回路が形成されている。
【０００６】
上記のように構成された非接触型ＩＣラベル４０１においては、剥離紙４４０が剥離されて粘着剤４２０によって物品等の被着体に貼着され、外部に設けられた情報書込／読出装置（不図示）に近接させることにより、情報書込／読出装置からの電磁誘導によりアンテナ４１２に電流が流れ、この電流が接点４１３を介してＩＣチップ４１１に供給され、それにより、非接触状態において、情報書込／読出装置からＩＣチップ４１１に情報が書き込まれたり、ＩＣチップ４１１に書き込まれた情報が情報書込／読出装置にて読み出されたりする。
【０００７】
ここで、上述したような非接触型ＩＣラベル４０１は、商品の偽造防止を目的とした封印ラベルとして利用される場合があり、その場合、物品等の被着体に貼着して使用された後、不正に再利用されてしまうことを防止する必要がある。
【０００８】
そこで、ベース基材のアンテナが形成される領域の一部に剥離剤を塗布しておき、その上に導電ペーストを塗布することによってアンテナを形成し、その後、ベース基材のアンテナが形成された面の全面に粘着剤を付与し、それにより、非接触型ＩＣラベルが被着体に貼着された後に被着体から剥離された場合、ベース基材に形成されたアンテナのうち、剥離剤が塗布されていない領域に形成された部分を被着体から剥離させ、また、剥離剤が塗布された領域に形成された部分をベース基材から剥離して粘着剤とともに被着体に残存させる技術が考えられている（例えば、特許文献１参照。）。このように構成された非接触型ＩＣラベルにおいては、被着体に貼着された後に被着体から剥離された場合、ベース基材に形成されたアンテナのうち、剥離剤が塗布されていない領域に形成された部分が被着体から剥離し、また、剥離剤が塗布された領域に形成された部分がベース基材から剥離して粘着剤とともに被着体に残存するため、アンテナが断線して非接触型ＩＣラベルとして機能しなくなり、不正に再利用されることを防止することができる。
【特許文献１】特開２０００−１０５８０７号公報
【発明の開示】
【発明が解決しようとする課題】
【０００９】
しかしながら、特許文献１に記載されたような非接触型ＩＣラベルにおいては、ベース基材のアンテナが形成される領域の一部に剥離剤を塗布しておき、その上に導電ペーストを塗布することによってアンテナを形成し、それにより、アンテナの一部をベース基材から剥離しやすくしているものの、粘着剤がベース基材から剥離しないように一定の力で被着体から剥離した場合、アンテナが全てベース基材とともに被着体から剥離し、アンテナを断線させることができなくなる虞れがある。特に、凝集力が強い粘着剤を用いた場合、粘着剤自体が破断しにくく、そのためにアンテナを断線させることが困難となる。
【００１０】
また、ベース基材のアンテナが形成される領域の一部に剥離剤を塗布しておく必要があるため、そのためのコスト及び時間がかかってしまうという問題点がある。
【００１１】
また、アンテナのうち剥離剤が塗布された領域に形成された部分のベース基材に対する接着力が必要以上に弱くなり、それにより、製造過程において、剥離剤が塗布された領域に形成されたアンテナの一部がベース基材から剥離し、アンテナが断線してしまう可能性が高くなってしまうという問題点がある。
【００１２】
本発明は、上述したような従来の技術が有する問題点に鑑みてなされたものであって、不必要にアンテナが断線してしまう可能性を低減しながらも不正に再利用されることを防止することができる非接触型ＩＣラベルを提供することを目的とする。
【課題を解決するための手段】
【００１３】
上記目的を達成するために本発明は、
ベース基材の一方の面に導電性パターンが形成されるとともに、前記導電性パターンを介して非接触状態にて情報の書き込み及び読み出しが可能なＩＣチップが、前記ベース基材の前記導電性パターンを介して非接触状態にて情報の書き込み及び読み出しが可能となる位置に搭載され、前記ベース基材の一方の面に粘着層が積層されてなる非接触型ＩＣラベルにおいて、
前記粘着層は、前記導電性パターンのうち一部のみと対向するように前記ベース基材に付与された第１の粘着剤から構成されていることを特徴とする。
【００１４】
上記のように構成された本発明においては、ベース基材の一方の面に付与された第１の粘着剤によって被着体に貼着された後に被着体から剥離する場合、第１の粘着剤が被着体から剥離するように、かつ、ベース基材が破断しないような力で被着体から剥離していく。すると、次に、ベース基材の第１の粘着剤が付与されていない領域を被着体から離反することになり、そのために必要となる力で被着体から剥離していく。その後、再び、ベース基材の第１の粘着剤が付与されている領域を、第１の粘着剤が被着体から剥離するように、かつ、ベース基材が破断しないような力で被着体から剥離していくことになる。
【００１５】
このように、被着体に貼着された後に被着体から剥離する場合、第１の粘着剤が被着体から剥離するように、かつ、ベース基材が破断しないような力と、ベース基材の第１の粘着剤が付与されていない領域を被着体から離反するために必要となる力とを使い分けながら被着体から剥離しなければならず、それにより、ベース基材が破断しやすい構造を有するものであれば、その２つの力の違いによってベース基材が破断する可能性が高くなり、ベース基材が破断した場合、導電性パターンが断線して非接触型ＩＣラベルとして機能させなくすることができる。
【００１６】
また、前記粘着層は、
前記第１の粘着剤と、
前記第１の粘着剤の粘着力とは異なる粘着力を具備し、前記ベース基材の前記第１の粘着剤が付与されていない領域に付与された第２の粘着剤とから構成されていることを特徴とする。
【００１７】
このような構成とした場合は、ベース基材の一方の面に付与された第１及び第２の粘着剤によって被着体に貼着された後に被着体から剥離する場合、第１の粘着剤が被着体から剥離するように、かつ、ベース基材が破断しないような力で被着体から剥離していく。すると、次に、ベース基材の第２の粘着剤が付与されている領域を被着体から剥離することになり、第２の粘着剤が被着体から剥離するように、かつ、ベース基材が破断しないような力で被着体から剥離していく。その後、再び、ベース基材の第１の粘着剤が付与されている領域を、第１の粘着剤が被着体から剥離するように、かつ、ベース基材が破断しないような力で被着体から剥離していくことになる。ここで、第１の粘着剤と第２の粘着剤とはその粘着力が互いに異なるものであるため、第１の粘着剤を被着体から剥離する力と第２の粘着剤を被着体から剥離する力とが互いに異なることになり、そのため、被着体に貼着された後に被着体から剥離する場合、第１の粘着剤が被着体から剥離するように、かつ、ベース基材が破断しないような力と、第２の粘着剤が被着体から剥離するように、かつ、ベース基材が破断しないような力とを使い分けながら被着体から剥離しなければならず、それにより、ベース基材が破断しやすい構造を有するものであれば、その２つの力の違いによってベース基材が破断する可能性が高くなり、ベース基材が破断した場合、導電性パターンが断線して非接触型ＩＣラベルとして機能させなくすることができる。
【００１８】
また、前記第２の粘着剤は、粘着力が互いに異なる複数の粘着剤からなり、該複数の粘着剤は互いに異なる領域に付与されていることを特徴とする。
【発明の効果】
【００１９】
以上説明したように本発明においては、ベース基材の一方の面に積層された粘着層が、導電性パターンのうち一部のみと対向するようにベース基材に付与された第１の粘着剤から構成されているため、被着体に貼着された後に被着体から剥離する場合、第１の粘着剤が被着体から剥離するように、かつ、ベース基材が破断しないような力と、ベース基材の第１の粘着剤が付与されていない領域を被着体から離反するために必要となる力とを使い分けながら被着体から剥離しなければならず、それにより、ベース基材が破断しやすい構造を有するものであれば、その２つの力の違いによってベース基材が破断する可能性が高くなり、ベース基材が破断した場合、導電性パターンが断線して非接触型ＩＣラベルとして機能させなくすることができる。
【００２０】
また、ベース基材の一方の面に積層された粘着層が、導電性パターンのうち一部のみと対向するようにベース基材に付与された第１の粘着剤と、第１の粘着剤の粘着力とは異なる粘着力を具備し、ベース基材の第１の粘着剤が付与されていない領域に付与された第２の粘着剤とから構成されているものにおいては、被着体に貼着された後に被着体から剥離する場合、第１の粘着剤が被着体から剥離するように、かつ、ベース基材が破断しないような力と、第２の粘着剤が被着体から剥離するように、かつ、ベース基材が破断しないような力とを使い分けながら被着体から剥離しなければならず、それにより、ベース基材が破断しやすい構造を有するものであれば、その２つの力の違いによってベース基材が破断する可能性が高くなり、ベース基材が破断した場合、導電性パターンが断線して非接触型ＩＣラベルとして機能させなくすることができる。
【発明を実施するための最良の形態】
【００２１】
以下に、本発明の実施の形態について図面を参照して説明する。
【００２２】
（第１の実施の形態）
図１は、本発明の非接触型ＩＣラベルの第１の実施の形態を示す図であり、（ａ）は被着体への貼着面の構造を示す図、（ｂ）は（ａ）に示したＡ−Ａ’断面図である。
【００２３】
本形態は図１に示すように、紙からなるベース基材１４の一方の面上に、導電性パターンとなるコイル状のアンテナ１２及び接点１３が形成されるとともに、アンテナ１２を介して外部からの情報の書き込み及び読み出しが非接触状態にて可能なＩＣチップ１１が搭載され、さらに、ベース基材１４のアンテナ１２が形成された面に、第１の粘着剤２０が縞状に付与されることにより粘着層が積層され、この粘着剤２０のベース基材１４と反対側の面には剥離紙４０が剥離可能に貼着されて構成されている。これにより、粘着剤２０は、アンテナ１２及び接点１３のうち一部のみと対向するようにベース基材１４上に付与されることになる。なお、アンテナ１２と接点１３とから導電性パターンが構成され、接点１３はコイル状のアンテナ１２の両端に形成され、この接点１３にＩＣチップ１１が接続されるように導電性接着剤（不図示）によってＩＣチップ１１がベース基材１４上に接着されることにより、アンテナ１２、接点１３及びＩＣチップ１１からなる回路が形成されている。すなわち、ＩＣチップ１１は、ベース基材１４のアンテナ１２及び接点１３を介して非接触状態にて情報の書き込み及び読み出しが可能となる位置に搭載されている。また、粘着剤２０は、ベース基材１４上に塗布したり、ベース基材１４に両面テープを貼着したりすることにより、ベース基材１４に付与されることになる。
【００２４】
上記のように構成された非接触型ＩＣラベル１においては、剥離紙４０が剥離されて粘着剤２０によって物品等の被着体に貼着され、外部に設けられた情報書込／読出装置（不図示）に近接させることにより、情報書込／読出装置からの電磁誘導によりアンテナ１２に電流が流れ、この電流が接点１３を介してＩＣチップ１１に供給され、それにより、非接触状態において、情報書込／読出装置からＩＣチップ１１に情報が書き込まれたり、ＩＣチップ１１に書き込まれた情報が情報書込／読出装置にて読み出されたりする。
【００２５】
以下に、上述した非接触型ＩＣラベル１が物品等の被着体に貼着された状態から剥がされる場合の作用について説明する。
【００２６】
図２は、図１に示した非接触型ＩＣラベル１が物品等に貼付された状態から剥がされる場合の状態を示す図であり、（ａ）は非接触型ＩＣラベル１が剥がされはじめた状態を示す図、（ｂ）は非接触型ＩＣラベル１が破断する直前の状態を示す図、（ｃ），（ｄ）は非接触型ＩＣラベル１が破断した状態を示す図である。
【００２７】
物品５０に貼着された非接触型ＩＣラベル１を物品５０から剥がすために、非接触型ＩＣラベル１と物品５０との界面を剥離すると、まず、粘着剤２０がベース基材１４に貼着した状態で非接触型ＩＣラベル１が物品５０から剥がれていく（図２（ａ））。この際、粘着剤２０が物品５０から剥離するように、かつ、ベース基材１４が破断しないような力で非接触型ＩＣラベル１を物品５０から剥離していく。
【００２８】
すると、次に、ベース基材１４の粘着剤２０が付与されていない領域を物品５０から離反することになる。この際、ベース基材１４の粘着剤２０が付与されていない領域を物品５０から離反するために必要となる力で非接触型ＩＣラベル１を物品５０から離れる方向に引っ張っていくことになる（図２（ｂ））。
【００２９】
その後、再び、ベース基材１４の粘着剤２０が付与されている領域を物品５０から剥離することになるが、この際、非接触型ＩＣラベル１を物品５０から剥離するための力を、ベース基材１４の粘着剤２０が付与されていない領域を物品５０から離反するために必要となる力から、粘着剤２０が物品５０から剥離するように、かつ、ベース基材１４が破断しないような力に変えなければ、非接触型ＩＣラベル１を物品５０から剥離しようとした場合に、ベース基材１４が破断し、それとともに、ベース基材１４上に形成されたアンテナ１２が断線することになる（図２（ｃ），（ｄ））。この状態においては、ＩＣチップ１１に対して非接触状態にて情報の書き込み及び読み出しを行うためのアンテナ１２が断線しているため、ＩＣチップ１１に対する情報の書き込み及び読み出しが不可能な状態となる。また、ベース基材１４が破断したため、この非接触型ＩＣラベル１を再度物品５０に貼着することはできなくなる。
【００３０】
（第２の実施の形態）
図３は、本発明の非接触型ＩＣラベルの第２の実施の形態を示す図であり、（ａ）は被着体への貼着面の構造を示す図、（ｂ）は（ａ）に示したＡ−Ａ’断面図である。
【００３１】
本形態は図３に示すように、紙からなるベース基材１１４の一方の面上に、導電性パターンとなるコイル状のアンテナ１１２及び接点１１３が形成されるとともに、アンテナ１１２を介して外部からの情報の書き込み及び読み出しが非接触状態にて可能なＩＣチップ１１１が搭載され、さらに、ベース基材１１４のアンテナ１１２が形成された面に、第１の粘着剤１２０ａが縞状に付与されるとともに、この粘着剤１２０ａが付与されていない領域の全面に第２の粘着剤１２０ｂが付与されることにより粘着層が積層され、この粘着剤１２０ａ，１２０ｂのベース基材１１４と反対側の面には剥離紙１４０が剥離可能に貼着されて構成されている。これにより、粘着剤１２０ａ，１２０ｂはそれぞれ、アンテナ１１２及び接点１１３のうち一部のみと対向するようにベース基材１１４上に付与されることになる。なお、アンテナ１１２と接点１１３とから導電性パターンが構成され、接点１１３はコイル状のアンテナ１１２の両端に形成され、この接点１１３にＩＣチップ１１１が接続されるように導電性接着剤（不図示）によってＩＣチップ１１１がベース基材１１４上に接着されることにより、アンテナ１１２、接点１１３及びＩＣチップ１１１からなる回路が形成されている。すなわち、ＩＣチップ１１１は、ベース基材１１４のアンテナ１１２及び接点１１３を介して非接触状態にて情報の書き込み及び読み出しが可能となる位置に搭載されている。また、粘着剤１２０ａ，１２０ｂはその粘着力が互いに異なるものであり、粘着剤１２０ａの粘着力が粘着剤１２０ｂの粘着力よりも強くなっている。また、粘着剤１２０ａ，１２０ｂは、ベース基材１１４上に塗布したり、ベース基材１１４に両面テープを貼着したりすることにより、ベース基材１１４に付与されることになる。
【００３２】
上記のように構成された非接触型ＩＣラベル１０１においては、剥離紙１４０が剥離されて粘着剤１２０ａ，１２０ｂによって物品等の被着体に貼着され、外部に設けられた情報書込／読出装置（不図示）に近接させることにより、情報書込／読出装置からの電磁誘導によりアンテナ１１２に電流が流れ、この電流が接点１１３を介してＩＣチップ１１１に供給され、それにより、非接触状態において、情報書込／読出装置からＩＣチップ１１１に情報が書き込まれたり、ＩＣチップ１１１に書き込まれた情報が情報書込／読出装置にて読み出されたりする。
【００３３】
以下に、上述した非接触型ＩＣラベル１０１が物品等の被着体に貼着された状態から剥がされる場合の作用について説明する。
【００３４】
図４は、図３に示した非接触型ＩＣラベル１０１が物品等に貼付された状態から剥がされる場合の状態を示す図であり、（ａ）は非接触型ＩＣラベル１０１が剥がされはじめた状態を示す図、（ｂ）は非接触型ＩＣラベル１０１が破断する直前の状態を示す図、（ｃ），（ｄ）は非接触型ＩＣラベル１０１が破断した状態を示す図である。
【００３５】
物品１５０に貼着された非接触型ＩＣラベル１０１を物品１５０から剥がすために、非接触型ＩＣラベル１０１と物品１５０との界面を剥離すると、まず、粘着剤１２０ａがベース基材１１４に貼着した状態で非接触型ＩＣラベル１０１が物品１５０から剥がれていく（図４（ａ））。この際、粘着剤１２０ａが物品１５０から剥離するように、かつ、ベース基材１１４が破断しないような力で非接触型ＩＣラベル１０１を物品１５０から剥離していく。
【００３６】
すると、次に、ベース基材１１４の粘着剤１２０ｂが付与されている領域を物品１５０から剥離することになる。この際、粘着剤１２０ｂが物品１５０から剥離するように、かつ、ベース基材１１４が破断しないような力で非接触型ＩＣラベル１０１を物品１５０から剥離していくことになる（図４（ｂ））。
【００３７】
その後、再び、ベース基材１１４の粘着剤１２０ａが付与されている領域を物品１５０から剥離することになるが、この際、粘着剤１２０ａ，１２０ｂが、その粘着力が互いに異なるものであることから、粘着剤１２０ａを物品１５０から剥離する力と粘着剤１２０ｂを物品１５０から剥離する力とが互いに異なるものとなり、そのため、非接触型ＩＣラベル１０１を物品１５０から剥離するための力を、粘着剤１２０ｂが物品１５０から剥離するように、かつ、ベース基材１１４が破断しないような力から、粘着剤１２０ａが物品１５０から剥離するように、かつ、ベース基材１１４が破断しないような力に変えなければ、非接触型ＩＣラベル１０１を物品１５０から剥離しようとした場合に、ベース基材１１４が破断し、それとともに、ベース基材１１４上に形成されたアンテナ１１２が断線することになる（図４（ｃ），（ｄ））。この状態においては、ＩＣチップ１１１に対して非接触状態にて情報の書き込み及び読み出しを行うためのアンテナ１１２が断線しているため、ＩＣチップ１１１に対する情報の書き込み及び読み出しが不可能な状態となる。また、ベース基材１１４が破断したため、この非接触型ＩＣラベル１０１を再度物品１５０に貼着することはできなくなる。
【００３８】
（第３の実施の形態）
図５は、本発明の非接触型ＩＣラベルの第３の実施の形態を示す図であり、（ａ）は被着体への貼着面の構造を示す図、（ｂ）は（ａ）に示したＡ−Ａ’断面図である。
【００３９】
本形態は図５に示すように、紙からなるベース基材２１４の一方の面上に、導電性パターンとなるコイル状のアンテナ２１２及び接点２１３が形成されるとともに、アンテナ２１２を介して外部からの情報の書き込み及び読み出しが非接触状態にて可能なＩＣチップ２１１が搭載され、さらに、ベース基材２１４のアンテナ２１２が形成された面に、第１の粘着剤２２０ａが縞状に付与されるとともに、この粘着剤２２０ａが付与されていない領域の一部に第２の粘着剤２２０ｂが付与されることにより粘着層が積層され、この粘着剤２２０ａ，２２０ｂのベース基材２１４と反対側の面には剥離紙２４０が剥離可能に貼着されて構成されている。これにより、粘着剤２２０ａ，２２０ｂはそれぞれ、アンテナ２１２及び接点２１３のうち一部のみと対向するようにベース基材２１４上に付与されることになり、また、ベース基材２１４のアンテナ２１２が形成された面には、粘着剤２２０ａが付与された領域と粘着剤２２０ｂが付与された領域との間に粘着剤２２０ａ，２２０ｂのいずれも付与されていない領域が存在することになる。なお、アンテナ２１２と接点２１３とから導電性パターンが構成され、接点２１３はコイル状のアンテナ２１２の両端に形成され、この接点２１３にＩＣチップ２１１が接続されるように導電性接着剤（不図示）によってＩＣチップ２１１がベース基材２１４上に接着されることにより、アンテナ２１２、接点２１３及びＩＣチップ２１１からなる回路が形成されている。すなわち、ＩＣチップ２１１は、ベース基材２１４のアンテナ２１２及び接点２１３を介して非接触状態にて情報の書き込み及び読み出しが可能となる位置に搭載されている。また、粘着剤２２０ａ，２２０ｂはその粘着力が互いに異なるものであり、粘着剤２２０ａの粘着力が粘着剤２２０ｂの粘着力よりも強くなっている。また、粘着剤２２０ａ，２２０ｂは、ベース基材２１４上に塗布したり、ベース基材２１４に両面テープを貼着したりすることにより、ベース基材２１４に付与されることになる。
【００４０】
上記のように構成された非接触型ＩＣラベル２０１においては、剥離紙２４０が剥離されて粘着剤２２０ａ，２２０ｂによって物品等の被着体に貼着され、外部に設けられた情報書込／読出装置（不図示）に近接させることにより、情報書込／読出装置からの電磁誘導によりアンテナ２１２に電流が流れ、この電流が接点２１３を介してＩＣチップ２１１１に供給され、それにより、非接触状態において、情報書込／読出装置からＩＣチップ２１１に情報が書き込まれたり、ＩＣチップ２１１に書き込まれた情報が情報書込／読出装置にて読み出されたりする。
【００４１】
上述した非接触型ＩＣラベル２０１においても、物品等の被着体に貼着された後に被着体から剥離される際、非接触型ＩＣラベル２０１を被着体から剥離する力を、粘着剤２２０ａが付与された領域、粘着剤２２０ｂが付与された領域、並びに粘着剤２２０ａ，２２０ｂが付与されていない領域で適宜変えなければ、非接触型ＩＣラベル２０１を被着体から剥離しようとした場合に、ベース基材２１４が破断し、それとともに、ベース基材２１４上に形成されたアンテナ２１２が断線することになり、それにより、不正利用を防止することができる。
【００４２】
なお、上述した第２及び第３の実施の形態においては、第１の粘着剤１２０ａ，２２０ａが第２の粘着剤１２０ｂ，２２０ｂよりもその粘着力が強い場合を例に挙げて説明したが、第１の粘着剤１２０ａ，２２０ａの粘着力と第２の粘着剤１２０ｂ，２２０ｂの粘着力とが互いに異なるものであれば、その強弱は上述したものと逆であってもよい。すなわち、ベース基材１１４，２１４の端部側に付与される粘着剤の方が、その粘着力が弱いものとすることも考えられる。
【００４３】
また、上述した第２及び第３の実施の形態においては、粘着力が互いに異なる２種類の粘着剤を用いているが、第２の粘着剤として、粘着剤が互いに異なる複数の粘着剤を用いてこれらをベース基材の互いに異なる領域に付与し、それにより、粘着力が互いに異なる３種類以上の粘着剤をベース基材に付与することも考えられる。
【００４４】
（第４の実施の形態）
図６は、本発明の非接触型ＩＣラベルの第４の実施の形態を示す図であり、（ａ）は被着体への貼着面の構造を示す図、（ｂ）は（ａ）に示したＡ−Ａ’断面図である。
【００４５】
本形態は図６に示すように、紙からなるベース基材３１４の一方の面上に、コイル状の導電性パターンであるブースターアンテナ３１５が形成されるとともに、アンテナ３１２を具備し、このアンテナ３１２及びブースターアンテナ３１５介して外部からの情報の書き込み及び読み出しを非接触状態にて行うＩＣチップ３１１が搭載され、さらに、ベース基材３１４のブースターアンテナ３１５が形成された面に、第１の粘着剤３２０が縞状に付与されることにより粘着層が積層され、この粘着剤３２０のベース基材３１４と反対側の面には剥離紙３４０が剥離可能に貼着されて構成されている。これにより、粘着剤３２０は、ブースターアンテナ３１５のうち一部のみと対向するようにベース基材３１４上に付与されることになる。また、粘着剤３２０は、ベース基材３１４上に塗布したり、ベース基材３１４に両面テープを貼着したりすることにより、ベース基材３１４に付与されることになる。
【００４６】
上記のように構成された非接触型ＩＣラベル３０１においては、剥離紙３４０が剥離されて粘着剤３２０によって物品等の被着体に貼着され、外部に設けられた情報書込／読出装置（不図示）に近接させると、ＩＣチップ３１１に設けられたアンテナ３１２と情報書込／読出装置側のアンテナとの間にて電磁誘導が発生し、それにより、ＩＣチップ３１１に書き込まれた情報が非接触状態で情報書込／読出装置にて読み出されたり、情報書込／読出装置から非接触状態でＩＣチップ３１１に情報が書き込まれたりする。ここで、ＩＣチップ３１１における受信のしやすさを示す先鋭度Ｑにおいては、アンテナ３１２のインダクタンスと静電容量と抵抗成分とによって決まる。そのため、例えば、アンテナ３１２の導体径が大きくなった場合、先鋭度Ｑが高くなり、それにより、ＩＣチップ３１１の通信可能距離が延びることになる。本形態においては、ベース基材３１４上にブースターアンテナ３１５が形成されているため、このブースターアンテナ３１５とアンテナ３１２とが電磁結合し、それにより、アンテナ３１２の見かけ上の導体径が大きくなり、先鋭度Ｑが高くなる。そのため、本形態においては、ＩＣチップ３１１は、ベース基材３１４のブースターアンテナ３１５を介して非接触状態にて情報の書き込み及び読み出しが可能となる位置に搭載されていることから、アンテナ３１２及びブースターアンテナ３１５を介して情報の書き込み及び読み出しが行われている。
【００４７】
上述した非接触型ＩＣラベル３０１においても、物品等の被着体に貼着された後に被着体から剥離される際、非接触型ＩＣラベル３０１を被着体から剥離する力を、粘着剤３２０が付与された領域と粘着剤３２０が付与されていない領域とで適宜変えなければ、非接触型ＩＣラベル３０１を被着体から剥離しようとした場合に、ベース基材３１４が破断し、それとともに、ベース基材３１４上に形成されたブースターアンテナ３１５が断線することになる。ブースターアンテナ３１５が断線した場合、通信距離が大きく変化し、不正利用を防止することができる。
【００４８】
なお、上述した４つの実施の形態においては、ベース基材として紙からなるものを例に挙げて説明したが、紙以外のものであっても破断しやすいものであれば適用することができる。また、フィルム等の破断しにくい材料からなるものであっても、スリットを入れる等によって破断しやすい構造とすることによりベース基材として使用することができる。
【００４９】
また、上述した４つの実施の形態においては、ベース基材上に形成されたコイル形状のアンテナあるいはブースターアンテナに電磁誘導によって電流が流れることによりＩＣチップに対して情報の書き込み及び読み出しが行われる電磁誘導式の非接触型ＩＣラベルを例に挙げて説明したが、本発明は、ベース基材上に所定の間隔を有して互いに対向して形成された２つのアンテナを有してなる静電結合型の非接触型ＩＣラベル等、アンテナや接点が断線した場合にＩＣチップに対する情報の書き込みや読み出しが不可能となったり通信距離が大きく異なったりするものであれば適用することができる。
【００５０】
また、上述した４つの実施の形態においては、ベース基材のアンテナあるいはブースターアンテナが形成された面に粘着剤が付与されているが、ベース基材のアンテナあるいはブースターアンテナが形成された面とは反対側の面に、上述したものと同様にして粘着剤を付与し、この粘着剤によって物品に貼着される構成とすることも考えられる。
【図面の簡単な説明】
【００５１】
【図１】本発明の非接触型ＩＣラベルの第１の実施の形態を示す図であり、（ａ）は被着体への貼着面の構造を示す図、（ｂ）は（ａ）に示したＡ−Ａ’断面図である。
【図２】図１に示した非接触型ＩＣラベルが物品等に貼付された状態から剥がされる場合の状態を示す図であり、（ａ）は非接触型ＩＣラベルが剥がされはじめた状態を示す図、（ｂ）は非接触型ＩＣラベルが破断する直前の状態を示す図、（ｃ），（ｄ）は非接触型ＩＣラベルが破断した状態を示す図である。
【図３】本発明の非接触型ＩＣラベルの第２の実施の形態を示す図であり、（ａ）は被着体への貼着面の構造を示す図、（ｂ）は（ａ）に示したＡ−Ａ’断面図である。
【図４】図３に示した非接触型ＩＣラベルが物品等に貼付された状態から剥がされる場合の状態を示す図であり、（ａ）は非接触型ＩＣラベルが剥がされはじめた状態を示す図、（ｂ）は非接触型ＩＣラベルが破断する直前の状態を示す図、（ｃ），（ｄ）は非接触型ＩＣラベルが破断した状態を示す図である。
【図５】本発明の非接触型ＩＣラベルの第３の実施の形態を示す図であり、（ａ）は被着体への貼着面の構造を示す図、（ｂ）は（ａ）に示したＡ−Ａ’断面図である。
【図６】本発明の非接触型ＩＣラベルの第４の実施の形態を示す図であり、（ａ）は被着体への貼着面の構造を示す図、（ｂ）は（ａ）に示したＡ−Ａ’断面図である。
【図７】一般的な非接触型ＩＣラベルの一構成例を示す図であり、（ａ）は内部構造を示す図、（ｂ）は（ａ）に示したＡ−Ａ’断面図である。
【符号の説明】
【００５２】
１，１０１，２０１，３０１    非接触型ＩＣラベル
１１，１１１，２１１，３１１    ＩＣチップ
１２，１１２，２１２，３１２    アンテナ
１３，１１３，２１３，３１３    接点
１４，１１４，２１４，３１４    ベース基材
２０，１２０ａ，１２０ｂ，２２０ａ，２２０ｂ，３２０    粘着剤
４０，１４０，２４０，３４０    剥離紙
５０，１５０    物品
３１５    ブースターアンテナ
【図１】
2007004046.tif 000003
【図２】
2007004046.tif 000004
【図３】
2007004046.tif 000005
【図４】
2007004046.tif 000006
【図５】
2007004046.tif 000007
【図６】
2007004046.tif 000008
【図７】
2007004046.tif 000009